【事件の表示】
　平成　４年特許願第　５６５５９号「フェルール付き光ファイバケーブル及び光ファイバセンサ」拒絶査定に対する審判事件［平成　５年　９月　３日出願公開、特開平　５−２２４０８８］について、次のとおり審決する。
【結　論】
　本件審判の請求は、成り立たない。
【理　由】
１．手続の経緯、本願発明
　本願は、平成４年２月１０日の出願であって、その請求項１及び２に係る発明は、平成１１年２月１０日付け及び平成１２年１０月１９日付けで提出された手続補正書により補正された明細書及び図面の記載からみて、その特許請求の範囲の請求項１及び２に各々記載されたとおりのものであるところ、請求項１に係る発明（以下、本願発明という）は、つぎのとおりである。
　「光ファイバケーブル固定用円筒フェルールが、光ファイバのケーブル固定部を有し、その内面にケーブル固定用ネジ溝を備えており、その先端にケーブル固定部よりも細径の光ファイバ挿入部を有し、光ファイバ挿入部先端に面取り部を備えたフェルールであり、このフェルール内のケーブル固定用ネジ溝に光ファイバケーブルを充填すると共に光ファイバ挿入部先端の面取り部に光ファイバの先端を膨大化固定したことを特徴とするフェルール付き光ファイバケーブル。」
　　　　　
２．引用例に記載の発明
　原査定の拒絶理由に引用され、本願出願前に頒布された刊行物である各刊行物には、次のように記載されている。
特開昭６１−１５１５０５号公報（以下、引用例１という）
　「図において、１はプラスチツク光フアイバコードで、１Ａはプラスチツク光フアイバ芯線、１Ｂはプラスチックシースである。２はフエルールで、フエルール２は先端側がスリーブ状の芯線保持体３で、芯線保持体３はプラスチツクでできている。フエルール２の基部側はプラスチツク光フアイバコード１のプラスチツクシース１Ｂの部分を保持するシース保持体４で、金属でできている。芯線保持体３は内孔３Ａの先端がテーパ状に開口している。芯線保持体３の後端側はシース保持体４の内孔４Ａに圧入嵌めされて一体となつている。・・・・芯線保持体３とシース保持体４とは圧入嵌めに限るものではなく、例えば、冷し嵌、接着剤による固着であっても良くまた、シース保持体４を前もつて作つておいて、このシース保持体４にプラスチツクをモールド成形して芯線保持体３を作つてシース保持体４と芯線保持体３とを一体に連結しても良い。シース保持体４の内孔４Ａの内周面には円周方向に複数の突起例えばスパイラル状の凸条４Ｂが設けられている。図において５はフランジである。
　以上のように構成されたフエルール２にプラスチツク光フアイバコード１の端末が挿入固定されている。すなわち、フエルール２の芯線保持体３の内孔３Ａの部分にプラスチツクシース１Ａが挿入され、プラスチツクシース１Ｂの部分が内孔４Ａの部分に挿入されている。内孔３Ａに挿入されているプラスチツク光フアイバ芯線１Ａの先端は内孔３Ａの先端のテーパ状に開口している部分に拡大形成された状態で固着されている。図において３Ｂは拡大形成部である。内孔４Ａに挿入されているプラスチツクシース１Ｂの部分はシース保持体４の外周からのかしめによつてシース保持体４に圧着固定される圧着部６によつて保持されてている。この圧着部６の内孔４Ａには内周面に凸条４Ｂが設けられているので、この凸条４Ｂがかしめによる圧着によつてシース１Ｂに食い込みプラスチツク光フアイバコード１はフエルール２に強固に固着される。
　上記のような構成のフエルール付プラスチツク光フアイバコードは以下のようにして作成される。まず、プラスチツク光フアイバコード１の端部のプラスチツクシース１Ｂを剥離して芯線１Ａを露出させ、該露出芯線１Ａをフエルール２の内孔３Ａに、プラスチツクシース１Ｂの部分を内孔４Ａの部分に位置するように挿入し、内孔４Ａの外側の一部を軽くかしめて仮止めする。この際プラスチツク光フアイバ芯線１Ａをその先端がフエルール２の先端より若干（例えば０．５〜１ｍｍ程度）突き出すようにしておく。このような状態のフエルール２付きのコード１を例えば第３図に示すような熱形成器１０を使用することによつてコード１にフエルール２を固着する。熱形成器１０は例えばアルミ等の金属体で作られたもので、中心部にフエルール１の先端側外周とほぼ同径のフエルール挿入孔１１が設けられていて、フエルール挿入孔１１の底は鏡面状に仕上げられている。・・・・このような熱形成器１０のフエルール挿入孔１１を所定の温度に保持させておき、この熱形成器１０に前記仮止めされたフエルール２付きのプラスチツク光フアイバコード１をセツトする。プラスチツク光フアイバ芯線１Ａがフエルール挿入孔１１内で加熱され軟化した時点で芯線１Ａの先端を熱形成器１０の底面に押圧せしめ、プラスチツク光フアイバ芯線１Ａの先端をフエルール２の内孔３Ａ先端に設けられたテーパ状開口部に変形圧入させ拡大形成部３Ｂを形成する。」（第２頁右上欄第１８行〜第３頁右上欄第８行）
　また、フエルール付プラスチツク光フアイバが第１図に縦断面図で示され、第２図に断面図で示されている。これらの図でフエルールは円筒状であり、その芯線保持体の内孔の径はシース保持体の内孔の径より細径になっており、プラスチツク光フアイバコードがフエルールに挿入固定された状態でシースの剥離された先端側端面が芯線保持体の後側端面に当接しているとみられる。
　以上の記載からすれば、引用例１には、「芯線保持体とシース保持体とが一体に連結されてなる円筒状のフエルールに光フアイバ芯線とプラスチツクシースとからなるプラスチツク光フアイバコードの端末が挿入固定されたフエルール付プラスチツク光フアイバコードであり、フエルールの基部側のシース保持体の内孔の内周面に円周方向に複数のスパイラル状の凸条が設けられ、芯線保持体の内孔がシース保持体の内孔の径より細径でその先端がテーパ状に開口しており、プラスチツク光フアイバコードをフエルールに挿入固定する際に、露出芯線が芯線保持体の内孔に、プラスチツクシースの部分がシース保持体の内孔の部分に位置するように挿入され、シース保持体のかしめによってその内周面の凸条がプラスチツク光フアイバコードに食い込み固着されると共に、熱形成器により芯線の先端がフエルールの芯線保持体の内孔の先端に設けられたテーパ状開口部に変形圧入され拡大形成部が形成されるようにしたフエルール付きプラスチツク光フアイバコード」が記載されているものと認められる。
特開昭５９−１６０１１０号公報（以下、引用例２という）
　「第１図は本発明方法を実施するための装置の断面図である。・・・・プラグを構成する金属製円筒スリーブ４の内面にはネジ５が形成される。光ファイバ素線（芯線）７及びナイロンコート等からなる外被８からなる光ファイバ６を円筒フェルール４内に挿入する。この状態でヒータブロック１を加熱し、円筒フェルール４を介して光ファイバ６を加熱してその外被８を溶隔させこれを円筒スリーブ４のネジ５に対し隔着接合させる。・・・・光ファイバ端部が接合された円筒フェルール４は例えば第２図に示す構造の光コネクタプラグとして組立てられる。」（第２頁左上欄第５〜２０行）
　　　　　
３．対比、判断　　
　本願発明と、引用例１に記載のものとを対比すると、引用例１に記載のものにおける「プラスチツク光フアイバコード」、「フエルール」、「シース保持体」、「芯線保持体」、「テーパ状開口部」、「フエルール付プラスチツク光フアイバコード」は、それぞれ本願発明における「光ファイバ」、「フェルール」、「ケーブル固定部」、「光ファイバ挿入部」、「面取り部」、「フェルール付き光ファイバケーブル」に相当し、引用例１に記載のものにおいて芯線の先端がフエルールの芯線保持体の内孔の先端に設けられたテーパ状開口部に変形圧入され拡大形成部が形成されるのは、本願発明において光ファイバ挿入部の先端を膨大固定化しているのと同等であり、また、引用例１に記載のものにおけるシース保持体の内周面に設けられた複数の円周方向のスパイラル状凸条は、形状としては本願発明におけるケーブル固定部の内面のケーブル固定用ネジ溝と同等のものであり、さらに、引用例１に記載のものにおけるフエルールはプラスチツク光フアイバコードの固定用のものであるから、本願発明と引用例１に記載のものとは、「光ファイバケーブル固定用円筒フェルールが、光ファイバのケーブル固定部を有し、その内面にケーブル固定用ネジ溝を備えており、その先端にケーブル固定部よりも細径の光ファイバ挿入部を有し、光ファイバ挿入部先端に面取り部を備えたフェルールであり、光ファイバ挿入部先端の面取り部に光ファイバの先端を膨大固定化したフェルール付き光ファイバケーブル」である点において一致する。
　一方、本願発明において、フェルール内のケーブル固定用ネジ溝に光ファイバケーブルを充填しているのに対し、引用例１に記載のものにおいては、シース保持体のかしめによってその内周面の凸条がプラスチツク光フアイバコードに食い込み固着されるようにしている点において、両者は相違する。
　そこで、上記相違点について検討する。
　フェルールのケーブル固定部の内面にネジ溝を形成し、光ファイバケーブル端部をフェルールに挿入し、加熱手段によりフェルールを介して光ファイバケーブルを加熱し、光ファイバケーブルの外被をネジ溝に融着接合させることについて引用例２に記載されているが、これは本願発明においてケーブル固定用ネジ溝に光ファイバケーブルを充填することと同等であるから、引用例１に記載のものにおいてプラスチツク光フアイバコードのプラスチツクシースの部分をシース保持体の一部をかしめて固定することに代えて、引用例２に記載のものにおける光ファイバケーブルの外被のネジ溝への融着結合を行うことは、適宜考慮し得るところである。
　請求人は、請求の理由において、光ファイバケーブルに回転方向の力を加えた場合、ネジ作用により光ファイバケーブルが突き出し方向または引き込み方向に移動しようとするのに対して固定されている旨主張する。
　しかしながら、光ファイバ挿入部の径がケーブル固定部の径より細くなっており、光ファイバ挿入部の先端の面取り部に光ファイバ先端の膨大化部分が係止されることにより、光ファイバケーブルの突き出し方向または引き込み方向の移動に対して固定されることにおいては、引用例１に記載のものも同様である。一方、引用例１に記載のものにおけるシース保持体の内面にネジ溝を形成しプラスチツク光ファイバコードの外被のネジ溝への融着結合を行うことは、前述したように容易に想到し得るところであり、その場合にプラスチツク光ファイバコードへの回転方向の力に対して、プラスチツク光ファイバコードが突き出し方向または引き込み方向が移動しないように固定されることは明らかである。それゆえ、本願発明の奏する作用効果も引用例１及び２に記載のものから予測される程度のものである。
　　　　　
４．むすび
　以上のとおりであるから、本願発明は、引用例１及び２に記載された発明に基づいて当業者が容易に発明をすることができたものであるので、特許法第２９条第２項の規定により特許を受けることができない。
　よって、結論のとおり審決する。